(57)【要約】【課題】簡単な構成でありながら、衣類の視認性を損なうことなく、ハンガーに掛けた衣類の幅及び丈を容易に小さくすることできるハンガーを提供する。【解決手段】ハンガー１０の本体１２は、中央部１６の両側に軸２２を介して折り返し部１８が連結され、更にその外側には、軸２４を介して折り返し部２０が連結されている。折り返し部１８，２０には、本体１２にかけた衣類３４のずれを防止するためのバンド２６，２８が設けられる。本体裏面１２Ｂには、フック１４の根元近傍に、クリップ３０の一端側が回動可能に取り付けられている。ハンガー１０に衣類３４を掛けて、折り返し部１８，２０を折り返すと、衣類３４も一緒に折り畳まれて幅が小さくなる。更に、折り返し線Ｌに沿って衣類３４を折り返し、裾４２をクリップ３０で挟むと、丈も小さくすることができるため、衣類３４の陳列スペースを削減することができる。【選択図】図２
2007319293.tif 000002
【特許請求の範囲】
【請求項１】
衣類の肩部を掛けるハンガー本体の略中央部にフックを備えたハンガーであって、
前記ハンガー本体の両端側を中央側へ向けて２つ以上に折り畳み可能とするとともに、該ハンガー本体に、前記フック側へ向けて折り返された衣類の縁部を挟む挟持手段を設けたことを特徴とするハンガー。
【請求項２】
前記挟持手段が、
一端が前記ハンガー本体の上端近傍に回動可能に取り付けられており、他端側が前記ハンガー本体との間に前記衣類の縁部を挟み込み可能な挟持片，
を有することを特徴とする請求項１記載のハンガー。
【請求項３】
前記ハンガー本体に、前記衣類のずれを防止するためのずれ防止手段を設けたことを特徴とする請求項１又は２記載のハンガー。
【請求項４】
衣類を陳列ないし収納するためのキャビネットであって、
請求項１〜３のいずれかに記載のハンガーのフックを掛ける吊掛手段を有するとともに、前記ハンガーに掛けて折り畳まれた状態の衣類を保持する第１の衣類保持部，
前記衣類を広げた状態で保持する保持手段を有する第２の衣類保持部，
を備えたことを特徴とするキャビネット。
【請求項５】
前記第１の衣類保持部が、前記第２の衣類保持部の上方に１段以上設けられていることを特徴とする請求項４記載のキャビネット。
【請求項６】
前記保持手段が、
前記衣類を広げた状態で挟む一対の透明板，
該一対の透明板の縁部を把持するフレーム，
該フレームを前記第２の衣類保持部内に立設支持する支持手段，
を含むことを特徴とする請求項４又は５記載のキャビネット。
【発明の詳細な説明】
【技術分野】
【０００１】
本発明は、衣類を掛けるハンガー及びそれを利用したキャビネットに関し、更に具体的には、ハンガーに掛けた衣類の陳列ないし収納スペースの削減に関するものである。
【背景技術】
【０００２】
店舗などで販売する衣類は、折り畳んだ商品を棚に重ねたりハンガーに掛けたりして陳列される。棚に積み重ねると陳列スペースは少なく済むが、衣類のデザインを確認するためには、ハンガーに掛けての陳列が効果的である。しかしながら、通常は、Ｔシャツなどのシャツ類をハンガーに掛けると、ハンガーの幅に見合った長さや奥行を有する陳列スペースが必要となる。そこで、以下の特許文献１及び２に示すように、掛けた衣類の幅を小さくして収納ないし陳列スペースを節約する技術が提案されている。前記特許文献１には、ハンガーに掛けた衣類の袖の位置を保持するための開口部を備えた道具が示されている。また、特許文献２には、衣服の折り畳み台紙本体の上方部に、肩幅方向に拡幅自在の一対の翼片を備えたハンガーを着脱可能に取り付けることが開示されている。
【特許文献１】特開２００２−２７２５８７公報
【特許文献２】実開平７−１４９６５号公報
【発明の開示】
【発明が解決しようとする課題】
【０００３】
しかしながら、以上のような背景技術には次のような不都合がある。まず、前記特許文献１に記載の技術では、ハンガーに衣類を掛けたのちに道具に袖を通すため、衣類の幅を狭くするために手間がかかる。前記特許文献２に記載の技術でも、ハンガー自体の幅を縮めた後に台紙に沿って衣類を折り畳むため、同様に手間がかかる。また、特許文献１及び２記載の技術はともに、ハンガーのみでは衣類の幅を簡単に縮めることができない。更に、幅を縮めることができても、ハンガーに掛かった衣類の身頃がそのまま垂れ下がる。このため、裾が床や棚などに触れないように、衣類の丈に見合った高さが必要となり、陳列スペースの高さを低く抑えることができないという不都合がある。
【０００４】
本発明は、以上の点に着目したもので、その目的は、簡単な構成でありながら、衣類の視認性を損なうことなく、ハンガーに掛けた衣類の幅及び丈を容易に小さくすることができるハンガーを提供することである。他の目的は、前記ハンガーを利用することによって、衣類の陳列（ないし収納）スペースの削減又は有効活用ができるキャビネットを提供することである。
【課題を解決するための手段】
【０００５】
前記目的を達成するため、本発明のハンガーは、衣類の肩部を掛けるハンガー本体の略中央部にフックを備えたハンガーであって、前記ハンガー本体の両端側を中央側へ向けて２つ以上に折り畳み可能とするとともに、該ハンガー本体に、前記フック側へ向けて折り返された衣類の縁部を挟む挟持手段を設けたことを特徴とする。
【０００６】
主要な形態の一つは、前記挟持手段が、一端が前記ハンガー本体の上端近傍に回動可能に取り付けられており、他端側が前記ハンガー本体との間に前記衣類の縁部を挟み込み可能な挟持片，を有することを特徴とする。他の形態は、前記ハンガー本体に、前記衣類のずれを防止するためのずれ防止手段を設けたことを特徴とする。
【０００７】
本発明のキャビネットは、衣類を陳列ないし収納するためのキャビネットであって、請求項１〜３のいずれかに記載のハンガーのフックを掛ける吊掛手段を有するとともに、前記ハンガーに掛けて折り畳まれた状態の衣類を保持する第１の衣類保持部，前記衣類を広げた状態で保持する保持手段を有する第２の衣類保持部，を備えたことを特徴とする。
【０００８】
主要な形態の一つは、前記第１の衣類保持部が、前記第２の衣類保持部の上方に１段以上設けられていることを特徴とする。他の形態は、前記保持手段が、前記衣類を広げた状態で挟む一対の透明板，該一対の透明板の縁部を把持するフレーム，該フレームを前記第２の衣類保持部内に立設支持する支持手段，を含むことを特徴とする。本発明の前記及び他の目的，特徴，利点は、以下の詳細な説明及び添付図面から明瞭になろう。
【発明の効果】
【０００９】
本発明は、略中央部にフックを備えたハンガー本体の両端側を、中央側へ向けて２つ以上に折り畳み可能にするとともに、前記フック側へ向けて折り返された衣類の縁部を挟む挟持手段を前記ハンガー本体に設けることとした。このため、ハンガーに掛けた衣類を手早く畳み、幅及び丈を容易に小さくすることができる。また、前記ハンガーに掛けて幅及び丈を小さくした衣類を保持する第１の衣類保持部と、前記衣類を広げた状態で保持する第２の衣類保持部をキャビネットに設けることで、衣類の良好な視認性を確保しながら、陳列ないし収納スペースの削減又は有効活用ができるという効果が得られる。
【発明を実施するための最良の形態】
【００１０】
以下、本発明を実施するための最良の形態を、実施例に基づいて詳細に説明する。
【実施例１】
【００１１】
最初に、図１及び図２を参照しながら、本発明の実施例１を説明する。図１は、本実施例のハンガーの構造を示す図であり、(A)及び(B)はハンガーを広げた状態を正面及び裏面から見た図，(C)は折り畳み中のハンガーを裏面から見た図，(D)〜(F)は折り畳み完了後のハンガーを正面，裏面，側面から見た図である。図２は、本実施例の作用を示す図である。本実施例のハンガー１０は、衣類の肩部を掛ける本体１２の略中央部上端にフック１４を備えており、図２(A-1)に示すように、広げた状態では通常のハンガーと同様に衣類３４を掛けることが可能となっている。
【００１２】
前記本体１２は、前記フック１４が設けられた略中央部１６と、その両端側に連結された折り返し部１８と、更にその外側に連結された折り返し部２０により構成されており、略中央部１６から外側の折り返し部２０へ向けて前記本体１２の高さ（上下方向の幅）が徐々に狭くなっている。前記内側の折り返し部１８は、軸２２を用いた蝶番構造により前記略中央部１６に対して折り返し可能に連結され、外側の折り返し部２０は、軸２４を用いた蝶番構造により前記内側の折り返し部１８に対して折り返し可能に連結されている。本実施例では、外側の折り返し部２０は、図１(C)に示すように、本体表面１２Ａ側へ向けて折り返され、内側の折り返し部１８は、本体裏面１２Ｂ側へ向けて折り返される構成となっている。これによって、前記本体１２は、図１(D)〜(F)に示すように、横幅を縮めた状態に折り畳み可能となっている。
【００１３】
前記内側の折り返し部１８の略中央部には、例えばゴムなどの弾性材料により形成されたリング状のバンド２６が設けられ、外側の折り返し部２０の略中央部にも、同様のバンド２８が設けられる。これらバンド２６及び２８は、前記ゴム材などの摩擦力を利用して、前記本体１２にかけた衣類３４のずれ（ないし滑り）を防止するためのものである。
【００１４】
更に、前記本体裏面１２Ｂの略中央部上端近傍には、図１(B)に示すように、前記フック１４の根元近傍に回動可能に設けられた軸３２に、一方の端部３０Ａが接続されたクリップ３０が設けられている。該クリップ３０は、図１(C)に示すように、前記軸３２を支点として回動することによって、他方の端部３０Ｂ側を本体１２から持ち上げ可能となっている。なお、本実施例では、前記クリップ３０は、図１(E)に示すように、本体１２を折り畳んだときに、端部３０Ｂが、前記軸２４の上端を挟み込むような長さ及び形状に設定されている。前記本体１２としては、例えば、木材，合成樹脂，金属などが用いられ、前記フック１４及びクリップ３０としては、例えば金属などが用いられるが、他の公知の各種の材料を用いるようにしてもよい。
【００１５】
次に、図２を参照して、本実施例の作用を説明する。図２(A-1)〜(A-3)は前記ハンガー１０に衣類３４を掛けた状態を示す正面図及び側面図であり、それに対応するハンガー１０のみの状態が図２(B-1)〜(B-3)に示されている。なお図示の例では、前記衣類３４としてＴシャツを例に挙げて説明している。前記衣類３４は、正面の胸部付近にロゴ４６を有しており、図２(A-1)に示すように、フック１４を襟ぐり３６から外へ引き出すことによって、図２(B-1)に示す広げた状態のハンガー１０に肩部３８を掛けることができる。この状態の衣類３４の幅及び丈を縮めるときは、まず、本体１２の外側の折り返し部２０を表面１２Ａ側へ折り畳み、次いで、内側の折り返し部１８を裏面１２Ｂ側へ向けて、図２(B-2)に示すように折り畳む。すると、前記折り返し部１８及び２０とともに、衣類３４の袖４０も、図２(A-2)に示すように背面側に折り畳まれる。最後に、衣類３４の身頃の裾４２を、図２(A-2)に破線で示す折り返し線Ｌに沿ってフック１４側へ向けて折り返し、図２(A-3)及び図２(B-3)に示すように、クリップ３０の端部３０Ｂで前記裾４２を挟む。以上のようにすると、手早く衣類３４を折り畳んで、幅及び丈を縮めることができる。また、このとき、Ｔシャツのデザインの主要部であるロゴ４６は見ることができるため、Ｔシャツ３４の視認性を損なうことがない。
【００１６】
このように、実施例１によれば、次のような効果がある。
(1)本体１２の両端側を、中央部１６へ向けて折り畳むことで、ハンガー１０に掛けた衣類３４も同時に折り畳むことができるとともに、横幅を小さくして陳列スペースを小さく収めることができる。
(2)前記横幅を小さくした衣類３４の裾４２を、本体１２のフック１４側へ向けて折り返し、前記裾４２を、本体裏面１２Ｂに設けたクリップ３０で挟むこととしたので、陳列に要する高さを低く抑えることができる。
(3)ロゴ４６が見えるように折り畳むことにより、衣類３４のデザインなどの視認性を損なうことがない。
(4)バンド２６及び２８を設けることとしたので、本体１２にかけた衣類３４のずれや滑りを防止することができる。
【実施例２】
【００１７】
次に、図３〜図６を参照しながら、本発明の実施例２を説明する。なお、上述した実施例１と同一ないし対応する構成要素には同一の符号を用いることとする。本実施例は、前記実施例１のハンガー１０を用いた衣類陳列用のキャビネットである。図３は、本実施例のキャビネットの外観を示す斜視図，図４は、本実施例のキャビネットの正面図である。図５は、前記キャビネットの土台部を示す図であり、(A)は斜視図，(B)は前記(A)をＡ−Ａ線に沿って切断し矢印方向に見た断面図である。図６はキャビネットの棚部を示す図であり、(A)は棚の分解図，(B)は前記棚の吊掛部を示す平面図である。図３及び図４に示すように、本実施例のキャビネット５０は、前記衣類３４を広げた状態で陳列する土台部５２と、前記ハンガー１０に掛けて畳んだ衣類３４を陳列する棚５４Ａ〜５４Ｃからなる棚部５４により構成されている。
【００１８】
まず、土台部５２について説明する。土台部５２は、図４及び図５(A)に示すように、底板５６の略中央部に立設された支柱６６の上端に上板６４が固定された構造となっており、前記底板５６と上板６４の間の空間に、衣類３４を広げた状態で収納した複数のパネルケース７４が略放射状に立設支持されている。前記底板５６及び上板６４は略円盤状である。前記底板５６の中央部には、縁部よりも厚みを有する段差部５８が形成されており、該段差部５８の周縁部近傍には、前記パネルケース７４の差込棒８４の下端を嵌めるためのダボ穴６０が、適宜間隔で複数設けられている。前記段差部５８と底板５６の縁部の間には、勾配６２が形成されている。
【００１９】
前記支柱６６の上端には、略筒状のキャップ６８が被せられ、その重なり部分に、図示しないボルトなどを略水平方向から螺合して支柱６６の先端に固定する。前記キャップ６８の端部には、フランジ部７０が設けられており、該フランジ部７０には、前記差込棒８４の上端を差し込むためのダボ穴７２が適宜間隔で設けられている。前記ダボ穴７２は、底板５６側のダボ穴６０と位置及び数が一致するように形成されている。なお、前記フランジ部７０の上面には、前記上板６４と後述する軸９８の下端側のフランジ部１０２が、図示しない穴を貫通するボルト１１４とナット１１６により固定される。前記底板５６及び上板６４としては、例えば、オーク材などが用いられ、前記支柱６６，キャップ６８，フランジ部７０としては、例えば、スチール材などが用いられる。
【００２０】
以上のような土台部５２に支持されるパネルケース７４は、図５(B)に示すように、一対の略方形状の透明パネル７６Ａ，７６Ｂの間に前記衣類３４を挟み、前記透明パネル７６Ａ及び７６Ｂの縁部を、ゴムなどのパッキン７７Ａ，７７Ｂを介して、一対のフレーム７８Ａ及び７８Ｂで挟み込む構成となっている。前記フレーム７８Ａ及び７８Ｂは、ボルト８０の軸部を、該フレーム７８Ａ，７８Ｂ及びパッキン７７Ａ，７７Ｂの開口部に貫通させ、その先端にナット８２を螺合させることにより、衣類３４を挟んだ状態で固定される。また、一方のフレーム７８Ｂには、前記ダボ穴６０及び７２に先端が嵌合可能な差込棒８４が、立設方向に沿って設けられている。前記透明パネル７６Ａ，７６Ｂとしては、例えばアクリルパネルが利用され、前記フレーム７８Ａ，７８Ｂ，差込棒８４としては、例えばスチール材が用いられる。また、前記パッキン７７Ａ，７７Ｂとしては、例えばゴムなどが利用される。このような構成のパネルケース７４は、前記差込棒８４の上端をまず、上板６４のダボ穴７２に差し込み、次いで、底板５６のダボ穴６０に下端を嵌め込むことにより、土台部５２に立設支持される。なお、前記パネルケース７４は、前記差込棒８４を軸として可動である。
【００２１】
次に、図６も参照して棚部５４について説明する。なお、棚部５４を構成する棚５４Ａ〜５４Ｃは、基本的に同様の構成となっているため、ここでは、棚５４Ｂを例に挙げて説明する。図６(A)に示すように、棚５４Ｂは、略リング状かつ断面略Ｌ字状の一対の上フレーム９２と下フレーム９４の上下に、それぞれ略円盤状の棚板９０を重ね、上下の棚板９０を、フランジ部１００及び１０２を両端に備えた軸９８により支持している。前記上フレーム９２と下フレーム９４の間には、ルーバーを構成する複数のバー９６が、適宜間隔で垂直方向に設けられている。
【００２２】
前記軸９８は、上方のフランジ部１００近傍に、前記ハンガー１０を吊り下げるための吊掛部１０６を備えている。該吊掛部１０６は、図６(B)に示すように、略同心円状に配置された２つのリング体１０８Ａ，１０８Ｂを備えており、これらが連結バー１１０により連結されている。また、内側のリング体１０８Ｂは、前記軸９８に対して回転可能な軸受け１０４の外周面に、他の連結バー１１２により連結されている。本実施例では、図３に示すように、内側のリング体１０８Ｂにハンガー１０を吊り下げることにより、畳んだ衣類３４を略放射状に陳列可能となっている。なお、リング体１０８Ａ及び１０８Ｂの間隔や径を調整することにより、外側のリング体１０８Ａに前記ハンガー１０を吊り下げるようにしてもよい。
【００２３】
そして、前記上フレーム９２と棚板９０、下フレーム９４と棚板９０は、それぞれボルト１１４とナット１１６により固定される。また、棚５４Ｂの軸９８の下方のフランジ部１０２は、棚５４Ｃの軸９８の上方のフランジ部１００との間に棚板９０を挟み、ボルト１１４及びナット１１６により固定される。また、棚５４Ｂの軸９８の上方のフランジ部１００は、棚５４Ａの軸９８の下方のフランジ部１０２との間に棚板９０を挟み、ボルト１１４及びナット１１６により固定される。以上のようにして、棚５４Ｃの上に、順次棚５４Ｂ，５４Ａを組立固定したら、図４に示すように、棚５４Ａの上面に、棚板９０を介して天板１１８を乗せ、ボルト１１４により固定する。以上のような棚部５４を構成する各部の材料としては、前記天板１１８として例えばオーク材を使用するほかは、スチール材などが用いられる。
【００２４】
次に、本実施例の作用を説明する。図３に示すように、土台部５２には、パネルケース７４内に広げた状態で挟み込まれた衣類３４が陳列される。また、棚５４Ａ〜５４Ｃには、ハンガー１０に掛けて畳んだ衣類３４が陳列される。このとき、例えば、棚５４Ａ〜５４Ｃには、それぞれ異なるサイズの衣類３４を掛けるようにする。例えば、棚５４ＡにはＳサイズ，棚５４ＢにはＭサイズ，棚５４ＣにはＬサイズという具合である。このようにすると、まず、土台部５２に陳列された衣類３４を見て、正面及び背面側の色や模様を確認してデザインを選び、次に、前記棚５４Ａ〜５４Ｃの中から、同じデザインの所望サイズの衣類３４を選びだす。このとき、必要であれば、外側のリング体１０８Ａを回すことによって、内側のリング体１０８Ｂに掛かったハンガー１０及び衣類３４の位置を回転させてずらすことができる。
【００２５】
このように、実施例２によれば、土台部５２に衣類３４を広げて陳列し、その上方に複数の棚５４Ａ〜５４Ｃを設けて、ここに前記ハンガー１０を利用して小さく畳んだ衣類３４を陳列することとしたので、衣類３４の視認性を損なうことなく、陳列スペースを有効活用できるという効果がある。
【００２６】
なお、本発明は、上述した実施例に限定されるものではなく、本発明の要旨を逸脱しない範囲内において種々変更を加え得ることができる。例えば、以下のものも含まれる。
【００２７】
(1)前記実施例に示した形状，寸法は一例であり、必要に応じて適宜変更してよい。例えば、前記実施例１では、図２(A-2)に示す折り返し線Ｌに沿って衣類３４の裾４２を折り返すこととしたが、本体１２の高さ（上下方向の幅）を長めに設定し、該本体１２の下端縁に沿って衣類３４を折り畳むようにしてもよい。また、折り畳み幅も一例であり、長袖の衣類にハンガー１０を適用する場合には、折り返し部１８や２０の長さを若干長めにするなど、必要に応じて適宜変更してよい。
【００２８】
(2)前記実施例で示した材質も一例であり、必要に応じて、公知の各種の材質のものを使用してよい。
(3)前記実施例１では、本体１２の両側を３つ折りにすることとしたが、これも一例であり、３つ折り以外の折り畳み方をしてもよい。また、前記実施例では、折り返し部２０を表面１２Ａ側に、折り返し部１８を裏面１２Ｂ側に折り返すこととしたが、これも一例であり、同様の効果を奏するように、折り畳み方向は適宜変更してよい。更に、軸２２及び２４を利用した折り畳み方法も一例であり、公知の各種の折り畳み機構を適用してよい。
(4)前記本体１２を折り畳んだときに、その折り重なった部分が開かないようにするためのストッパ手段などを設けるようにしてもよい。
【００２９】
(5)前記実施例１では、中央部１６の裏面にクリップ３０を一つ設けることとしたが、必要に応じて更に他のクリップを設けるようにしてもよい。
(6)前記実施例１では、衣類３４を丈方向に２つ折りし、クリップ３０の端部３０Ｂで裾４２を挟むこととしたが、丈方向に３つ折りにし、その縁部を前記クリップ３０で挟んで固定するようにしてもよい。
(7)前記実施例１に示したバンド２６，２８も一例であり、これら衣類３４のずれ防止（滑り止め）用のバンド２６，２８は、必要に応じて設けるようにすればよい。
【００３０】
(8)前記実施例２のキャビネット５０も一例であり、前記ハンガー１０に掛けた衣類３４を陳列する部分と、前記衣類３４を広げて陳列する部分を備えていれば、必要に応じて適宜設計変更してよい。例えば、実施例２では、３段の棚５４Ａ〜５４Ｃを設けることとしたが、棚数は必要に応じて適宜増減してよい。また、棚５４Ａ〜５４Ｃ内にハンガー１０を吊るす構造も一例であり、同様の効果を奏するように適宜変更してよい。更に、パネルケース７４を用いた陳列方法も一例であり、通常のハンガーに衣類３４を掛けてパイプに吊り下げるなど、衣類３４を広げた状態で陳列することができれば、適宜設計変更してよい。
【００３１】
(9)前記実施例では、Ｔシャツを例に挙げて説明したが、本発明のハンガー及びキャビネットは、Ｙシャツ，セーター，ジャケット，ズボンなど、公知の各種の衣類全般に適用可能である。
【産業上の利用可能性】
【００３２】
本発明によれば、略中央部にフックを備えたハンガー本体の両端側を、中央側へ向けて２つ以上に折り畳み可能にするとともに、前記フック側へ向けて折り返された衣類の縁部を挟む挟持手段を前記ハンガー本体に設けることとしたので、シャツ類などの衣類を掛けるハンガーやそれを利用したキャビネットの用途に適用できる。特に、前記ハンガーとともに衣類を簡単に折り畳んで幅及び丈を小さくすることができるため、陳列用のハンガー及びキャビネットの用途に好適である。
【図面の簡単な説明】
【００３３】
【図１】本発明の実施例１のハンガーの構造を示す図である。
【図２】前記実施例１の作用を示す図である。
【図３】本発明の実施例２のキャビネットの外観を示す斜視図である。
【図４】前記実施例２のキャビネットの正面図である。
【図５】前記実施例２のキャビネットの土台部を示す図であり、(A)は斜視図，(B)は前記(A)をＡ−Ａ線に沿って切断し矢印方向に見た断面図である。
【図６】前記実施例２のキャビネットの棚部を示す図であり、(A)は棚の分解図，(B)は前記棚の吊掛部を示す平面図である。
【符号の説明】
【００３４】
１０：ハンガー
１２：本体
１２Ａ：正面
１２Ｂ：裏面
１４：フック
１６：中央部
１８，２０：折り返し部
２２，２４：軸
２６，２８：バンド
３０：クリップ
３０Ａ，３０Ｂ；端部
３２：軸
３４：衣類
３６：襟ぐり
３８：肩部
４０：袖
４２：裾
４６：ロゴ
５０：キャビネット
５２：土台部
５４：棚部
５４Ａ〜５４Ｃ：棚
５６：底板
５８：段差部
６０：ダボ穴
６２：勾配
６４：上板
６６：支柱
６８：キャップ
７０：フランジ部
７２：ダボ穴
７４：パネルケース
７６Ａ，７６Ｂ：透明板
７７Ａ，７７Ｂ：パッキン
７８，７８Ａ，７８Ｂ：フレーム
８０：ボルト
８２：ナット
８４：差込棒
９０：棚板
９２：上フレーム
９４：下フレーム
９６：バー
９８：軸
１００，１０２：フランジ部
１０４：軸受け
１０６：吊掛部
１０８Ａ，１０８Ｂ：リング体
１１０，１１２：連結バー
１１４：ボルト
１１６：ナット
１１８：天板
Ｌ：折り返し線
【図１】
2007319293.tif 000003
【図２】
2007319293.tif 000004
【図３】
2007319293.tif 000005
【図４】
2007319293.tif 000006
【図５】
2007319293.tif 000007
【図６】
2007319293.tif 000008